(57)【特許請求の範囲】
【請求項１】
被検眼眼底を撮影する撮影光学系を持ち、撮影された被検眼眼底像をモニタ画面に表示させるようにした眼科装置において、前記モニタの画面上に設けられたタッチパネルと、眼底を撮影するためにアライメントするアライメントモード又は撮影された静止画を表示するイメージモードのときに、内部が透明な枠を持ち枠内に操作ボタンの機能を示す文字を含み、所定の操作信号を入力するための操作ボタンを、被検眼眼底像の周辺部及び被検眼眼底像の背景部の双方にかかる位置に、前記枠及び文字を被検眼眼底像及びその背景色と区別される色で重畳させて表示する表示制御手段と、を備えることを特徴とする眼科装置。
【請求項２】
請求項１記載の眼科装置は、さらに被検眼眼底像の背景部に、前記操作ボタンを表示するか、表示しないかを切換える切換えボタンを設けたことを特徴とする眼科装置。
【発明の詳細な説明】
【０００１】
【発明の属する技術分野】
本発明は、被検眼像を表示するモニタ画面を持つ眼科装置に関する。
【０００２】
【従来の技術】
眼底カメラ等の眼科装置では、被検眼像を表示するモニタ画面を備える。また、近年では眼科装置においてもモニタ画面にタッチパネル機能を設け、操作信号の入力をタッチパネル上で行うようにしたものも現われてきている。
【０００３】
【発明が解決しようとする課題】
しかし、従来のタッチパネルが設けられたモニタ画面では、例えば、図７に示すように、被検眼像の表示画像を小さくし、被検眼像の表示領域とは別の領域に操作信号を入力するためのタッチボタンを表示するものであった。この場合、被検眼像が小さいので、観察しづらくなる。逆に、被検眼像の表示を大きくし、タッチボタンを小さくすると、そのタッチ操作が行い難くなる。
【０００４】
本発明は、上記従来技術の問題点に鑑み、タッチボタンの操作性と被検眼像の観察のし易さを確保できる眼科装置を提供することを技術課題とする。
【０００５】
【課題を解決するための手段】
本発明は上記課題を解決するため、以下に記載するような構成を備える事を特徴とする。
（１）  被検眼眼底を撮影する撮影光学系を持ち、撮影された被検眼眼底像をモニタ画面に表示させるようにした眼科装置において、前記モニタの画面上に設けられたタッチパネルと、眼底を撮影するためにアライメントするアライメントモード又は撮影された静止画を表示するイメージモードのときに、内部が透明な枠を持ち枠内に操作ボタンの機能を示す文字を含み、所定の操作信号を入力するための操作ボタンを、被検眼眼底像の周辺部及び被検眼眼底像の背景部の双方にかかる位置に、前記枠及び文字を被検眼眼底像及びその背景色と区別される色で重畳させて表示する表示制御手段と、を備えることを特徴とする。
（２）  （１）に記載の眼科装置は、さらに被検眼眼底像の背景部に、前記操作ボタンを表示するか、表示しないかを切換える切換えボタンを設けたことを特徴とする。
【０００６】
【実施の形態】
以下、本発明の実施形態を図面に基づいて説明する。図１は本発明に係る眼底カメラの概略構成を示す図である。
実施形態の眼底カメラは、手持ち操作に適する筐体に観察や撮影のための光学系を収納した撮影ユニット部１、撮影ユニット部１を制御するとともに撮影用光源が配置されたコントロールユニット部２に大別構成され、コントロールユニット部２にはタッチパネル機能が設けられたカラーのモニタ３が設けられている。コントロールユニット部２の撮影用フラッシュ光源からの照明光はファイババンドル４を介して撮影ユニット部１内の光学系に導光される。
【０００７】
図２は眼底カメラの光学系を示す図である。光学系は観察照明光学系、撮影照明光学系、観察・撮影光学系からなる。
＜観察照明光学系＞  １１は赤外発光ダイオード等の観察用照明光源である、１２は拡散板、１３はダイクロイックミラーであり、ダイクロイックミラー１３は赤外光を反射するとともに、撮影用の可視光を透過する特性を持つ。１４はコンデンサレンズ、１５はスリット板であり、中心部にピンホール開口と光軸を中心としたリングスリット開口を備えている。１６は投光レンズ、１７はハーフミラーである。１９は黒色吸収体であり、ハーフミラー１７を透過した照明光束を吸収することにより、観察・撮影光学系に不要なノイズ光が入射することを防止する。１８は被検眼を示す。
【０００８】
＜撮影照明光学系＞  ３１は撮影用のフラッシュ光源、３２はコンデンサレンズであり、撮影用の照明光束はファイババンドル４を介して撮影ユニット部１に導光される。撮影ユニット部１内の撮影照明光学系は、観察照明光学系のダイクロイックミラー１３からハーフミラー１７までの光路を共用する。
【０００９】
＜観察・撮影光学系＞  ２１は観察用の対物レンズ、２２は被検眼１８の瞳孔と共役になる位置に配置された撮影絞りである。２３はフォーカシングレンズであり、被検眼の屈折力に合わせての調整を行うために、図示なきレンズ移動機構により光軸方向に移動可能である。２４は結像レンズ、２５はダイクロイックミラーであり、ダイクロイックミラー２５は赤外光を反射させ、可視光を透過させる特性を備える。２６は撮影用のＣＣＤカメラである。２７は光路を延長するためのリレーレンズ、２８は鏡像反転を元に戻すためのミラー、２９は観察用の赤外ＣＣＤカメラである。
【００１０】
図３は本装置の制御系ブロック図を示す。４１はモニタ３の表示を制御する表示制御部であり、ＣＣＤカメラ２９及びＣＣＤカメラ２６の出力が入力され、モニタ３に表示する画像の切換機能も兼ねる。モニタ３の画面上にはタッチパネル４２が設けられており、タッチパネル４２のタッチ位置の検知等はタッチパネル制御部４３によって行われる。４０はシステム制御部であり、表示制御部４１、タッチパネル制御部４３、記憶部４４、フラッシュランプ３１、光源１１、撮影スイッチ４５、等が接続されている。
【００１１】
以上のような構成を持つ眼底カメラにおいて、以下にその動作を説明する。観察時には光源１１を点灯する。光源１１を出射した赤外光束は、拡散板１２により均一化された後、ダイクロイックミラー１３により反射され、コンデンサレンズ１４により収束してスリット板１５を全面照明する。スリット板１５を出射した光束は、投光レンズ１６を介してハーフミラー１７に入射し、その光量を約１／２に減衰反射されて被検眼１８に向かう。スリット板１５のリングスリット開口によりリング状に制限された光束は、撮影ユニット部１が所定の作動距離に位置する時、被検眼１８の瞳孔近傍でいったんリングスリットの像を結んだ後拡散して、撮影される視野と同じかやや広い視野の眼底を赤外の不可視光で照明する。
【００１２】
眼底からの反射光は、ハーフミラー１７、対物レンズ２１、撮影絞り２２、フォーカシングレンズ２３、結像レンズ２４を通り、ダイクロイックミラー２５で反射した後、リレーレンズ２７によりミラー２８で反転し、ＣＣＤカメラ２９の撮像素子上に結像する。ＣＣＤカメラ２９による撮影像は、モニタ３の画面上に表示される。
【００１３】
図４はアライメントモード時のモニタ３に表示される画面例を示し、画面の中央には赤外照明光で照明された被検眼画像（アライメント画像）８０が表示されている。電源をＯＮ時の初期画面はアライメントモードとされている。モニタ３にはタッチパネル４２が設けられており、モニタ３の画面上にはタッチボタン５０、５１等の表示が表示制御部４１により制御される。タッチパネル４２上において、操作者がタッチボタン５０等の領域枠の内部を指等でタッチすると、そのタッチ位置がタッチパネル制御部４３により検知され、操作信号がシステム制御部４０に入力される。言い換えれば、タッチボタン５１等は個々に定められた操作信号を入力するタッチ位置に対応するように、モニタ３の画面上にレイアウト表示されている。
【００１４】
図４のアライメント画面においては、次のようなタッチボタンが用意されている。タッチボタン５０にタッチすると、患者ＩＤ番号の入力と選択ができる画面に切換わる。タッチボタン５１にタッチすると、記憶部４４に記憶されている画像をサムネイル画像（縮小画像）で一覧表示する画面に切換わる。タッチボタン５２にタッチすると、患者データを入力する画面に切換わる。タッチボタン５３にタッチすると、環境設定画面に切換わる。タッチボタン５４ａ及び５４ｂは撮影用のフラッシュ光量を調節するボタンであり、タッチボタン５５ａ及び５５ｂは観察光量（光源１１の光量）を調節するためのボタンである。それぞれ光量の調節状態はインジケータ５６、５７で表示される。
【００１５】
こうしたタッチボタン５０等は、タッチ領域を示すボタン枠と文字が、被検眼画像８０（図４の場合はアライメント時の動画画像）に重畳して表示される。加えて、タッチボタンはその内部が透明にされた枠でグラフィック表示されており、ボタン内部の被検眼画像８０が透けた状態で観察される。したがって、モニタ３の画面領域を有効に活用して被検眼画像８０の表示を大きくできるので、その観察が容易になり、アライメントがし易くなる。また、タッチボタン類のサイズを小さくしなくて済むので、その操作も行い易い。タッチボタンの内部を透明にした枠で表示した場合には、画像がタッチボタンで塗りつぶされないので、タッチボタンの煩わしさが軽減される。なお、被検眼画像８０の背景は黒であるので、タッチボタン５０等の枠表示及びその枠内の文字は、撮影像やその背景と区別できるように、青色等のカラー表示することが好ましい。
【００１６】
検者は図４のアライメント画像を観察し、フォーカスレンズ２３を移動させて眼底のピントが合うようにした後、撮影スイッチ４５を押してフラッシュ光源３１を発光させる。可視光により照明された眼底からの可視の反射光束は、赤外光による眼底反射光束と同様に対物レンズ２１、撮影絞り２２、フォーカシングレンズ２３、結像レンズ２４を介して、ダイクロイックミラー２５に入射する。ダイクロイックミラー２５は可視光束を透過させるので、可視の眼底反射光束は結像レンズ２４によりＣＣＤカメラ２６の撮像素子面上に眼底像を結像する。
【００１７】
ＣＣＤカメラ２６により眼底像が得られると、表示制御部４１はこれを画像メモリ４１ａに一時記憶するとともに、モニタ３の画面をＣＣＤカメラ２６の撮影像である静止画像の表示（イメージモード）に切換える。
【００１８】
図５はイメージモードにおける画面例を示したものであり、カラーの眼底画像８１が中央に表示される。このイメージモードの画面においても、各種の操作信号を入力するためのタッチボタンは、眼底画像８１に重畳してグラフィック表示される。さらに、ボタン枠の内部は透明であるので、その下の眼底画像が透けて見える。このため、タッチボタンの表示がさほど邪魔にならず、画面上に大きく表示された眼底画像８１が圧迫感を感じることなく観察でき、その周辺部も観察がし易い。
【００１９】
イメージモードにおいては次のようなタッチボタンが用意されている。タッチボタン６０をタッチすると、装置の動作状態がアライメントモードになる。タッチボタン６１にタッチすると、サムネイル画像の表示に切換わる。タッチボタン６２にタッチすると、撮影された眼底画像８１が拡大表示されるズームモードに切換わる。タッチボタン６３にタッチすると、画面に表示されている眼底画像８１が記憶部４４に記憶される。なお、撮影画像の表示においては、タッチボタン以外にもＩＤ番号の表示７１、イメージモードであることを示すモード表示７２がグラフィック文字で合成表示されている。また、撮影時に設定され撮影光量及び観察照明光量のインジケータ５６、５７が、図４のアライメントモード時と同じようにグラフィック表示される。
【００２０】
さらに、モニタ３の画面表示（図４及び図５）において、こうしたタッチボタンや情報のグラフィック表示は、画面左下のタッチボタン７０にタッチ操作することにより消去される（非表示状態にされる）。これにより、文字やタッチボタンが合成表示されていない撮影画像を詳細に観察することができるようになる。なお、本実施形態では、非表示状態においてもタッチボタン７０のみは表示されており、タッチボタン７０を再度タッチすることにより、消去されていたタッチボタン等が再び表示され、そのボタンタッチによる操作信号の入力が可能になる。非表示状態においては、タッチボタン７０自体も消去する方法でも良い。この場合、タッチパネル４上のどの箇所でもタッチすれば、消去されていたタッチボタン等が再表示されるようにしておけば良い。
【００２１】
以上においては、タッチボタン５０、６０等の中に表示する文字（記号やマークも含む）は通常の塗りつぶしのフォントであるものとしたが、この文字も縁取りされた透明なフォントにしても良い。図６はタッチボタン５２、５３の場合の例である。文字を大きく表示するときには、こうした縁取りのみの文字にすることにより、被検眼画像をその内部で観察できるようになる。
【００２２】
また、以上の実施形態は眼底カメラを例としたが、被検眼の前眼部像やスリット光により光切断された断面像を撮影する装置であっても良い。
【００２３】
【発明の効果】
以上説明したように、本発明によれば、モニタ画面の表示領域を有効に活用して、タッチボタンの操作性と被検眼像の観察のし易さが確保できる。また、タッチボタンをその内部が透明な枠表示にしたことにより、タッチボタンの表示の煩わしさを抑えて、圧迫感が少ない被検眼像を観察できる。
【図面の簡単な説明】
【図１】本発明に係る眼底カメラの概略構成図である。
【図２】眼底カメラの光学系を示す図である。
【図３】眼底カメラの制御系ブロック図である。
【図４】アライメントモード時のモニタ画面例である。
【図５】イメージモード時におけるモニタ画面例である。
【図６】タッチボタンの文字を縁取りされた透明なフォントにした場合を説明する図である。
【図７】従来装置におけるタッチパネルの画面を示す図である。
【符号の説明】
１  撮影ユニット部
２  コントロールユニット部
３  モニタ
２６  撮影用ＣＣＤカメラ
１９  観察用赤外ＣＣＤカメラ
４０  システム制御部
４１  表示制御部
４２  タッチパネル
４３  タッチパネル制御部
８０，８１  被検眼画像
５０  タッチボタン
【図１】
0003929788.tif 000002
【図２】
0003929788.tif 000003
【図３】
0003929788.tif 000004
【図４】
0003929788.tif 000005
【図５】
0003929788.tif 000006
【図６】
0003929788.tif 000007
【図７】
0003929788.tif 000008